(57)【要約】【課題】撮影レンズを着脱可能なカメラにおいて、撮影画面サイズが異なっても、煩雑な操作を必要とせず、撮影に集中することができ、撮影者が焦点距離表示及び画角の変化により違和感を受けることなく、従来通りの感覚でスムーズに撮影することが可能なカメラを提供する。【解決手段】撮影レンズ８により得られる像を所定の撮影画面内において撮像する撮影手段３を備え、ＣＰＵ２において、撮影レンズ８の焦点距離に関する情報を取得し、その情報に基づいて演算処理を行い、焦点距離に対して換算を行い、換算した換算焦点距離の表示及び換算焦点距離に対応した表示を行う表示部５を備えるカメラとする。【選択図】                図１
2004157367.tif 000002
【特許請求の範囲】
【請求項１】
撮影レンズにより得られる像を所定の撮影画面内において撮像する撮影手段と、
前記撮影レンズの焦点距離に関する情報を取得する撮影レンズ情報取得部と、
前記撮影レンズ情報取得部が得た情報に基づいて演算処理を行い、前記焦点距離に対して換算を行う焦点距離換算部と、
前記焦点距離換算部が換算した換算焦点距離の表示及び／又は換算焦点距離に対応した表示を行う換算焦点距離表示部と、
を備えるカメラ。
【請求項２】
請求項１に記載のカメラにおいて、
前記換算焦点距離は、前記撮影画面とは異なるフォーマットを有する仮想撮影画面において、前記撮影レンズと前記撮影画面との組み合わせにより形成される画角と同一の画角を有する仮想の撮影レンズの焦点距離であって、前記仮想撮影画面における対角線長と前記画角とにより決まる仮想の撮影レンズの焦点距離であること、
を特徴とするカメラ。
【請求項３】
請求項２に記載のカメラにおいて、
前記仮想撮影画面は、対角線長が４３．２ｍｍの３５ｍｍフィルムカメラの撮影画面であること、
を特徴とするカメラ。
【請求項４】
請求項３に記載のカメラにおいて、
前記焦点距離換算部による焦点距離の換算は、前記撮影手段の対角線長と前記仮想撮影画面の対角線長とが異なる場合に行われること、
を特徴とするカメラ。
【請求項５】
請求項１から請求項４までのいずれか１項に記載のカメラにおいて、
前記撮影手段は、撮影画面のアスペクト比が変更可能であって、
前記焦点距離換算部が行う演算処理は、前記撮影画面のアスペクト比の変更に応じて変化する前記撮影画面の対角線長に基づいて行われること、
を特徴とするカメラ。
【請求項６】
請求項１から請求項５までのいずれか１項に記載のカメラにおいて、
前記撮影レンズは、焦点距離を変更可能なレンズであって、
前記換算焦点距離表示部は、前記撮影レンズの焦点距離変化に連動して換算焦点距離を表示すること、
を特徴とするカメラ。
【請求項７】
請求項１から請求項６までのいずれか１項に記載のカメラにおいて、
前記換算焦点距離表示部は、撮影時に撮影姿勢を変更することなく観察可能な位置に設けられていること、
を特徴とするカメラ。
【請求項８】
請求項７に記載のカメラにおいて、
前記換算焦点距離表示部が設けられている位置は、ファインダ表示内及び／又はその近傍であること、
を特徴とするカメラ。
【発明の詳細な説明】
【０００１】
【発明の属する技術分野】
本発明は、カメラ本体に着脱可能な撮影レンズの焦点距離を表示する表示手段を備えたカメラに関するものである。
【０００２】
【従来の技術】
昨今、サイズの異なったフィルムや小型撮像素子の開発などにより、従来の様々な画面サイズのカメラが多数開発されており、その場合でも、カメラ本体に備えられた撮影レンズ用マウントが適合すれば、いずれの撮影レンズでも着脱、使用が可能となっている。
【０００３】
従来から、カメラ本体に対して着脱可能な撮影レンズでは、焦点距離により望遠レンズであるか広角レンズであるかなどを判別することが一般的であった。例えば、３５ｍｍフィルムサイズ（画面サイズ２４×３６ｍｍ：以下、３５ｍｍ判と呼ぶ）の一眼レフカメラにおいては、５０ｍｍ前後の焦点距離を持つレンズは、標準レンズと称されることが多く、それより大きな、例えば２００ｍｍの焦点距離を持つレンズは、望遠レンズと、また、その逆に、２８ｍｍ等の５０ｍｍよりも短い焦点距離を持つレンズは、広角レンズと称されることが多い。
【０００４】
ただし、このように焦点距離により望遠レンズであるか広角レンズであるかを区分けすることは、正確な区分けではなく誤りである。望遠レンズであるか広角レンズであるかを区分けするには、画角により区分けすることが望ましい。なぜなら、同一の焦点距離のレンズであっても、画面サイズが異なると、撮影される範囲が異なるからである。
例えば、従来の３５ｍｍ判用の５０ｍｍレンズを、画面サイズが３５ｍｍ判よりも小さな画面サイズを撮影画面とするカメラに装着した場合、撮影される範囲は、３５ｍｍ判に比べて狭くなり、望遠側の撮影範囲となる。
【０００５】
しかし、一般に撮影者は、従来から広く用いられている３５ｍｍ判における焦点距離により、望遠であるか広角であるかをイメージすることが多い。例えば、３５ｍｍ判において標準レンズである５０ｍｍレンズを使った場合に、実際にファインダにより観察される像及び撮影される範囲が望遠レンズの画角であり、撮影者が混乱してしまうという問題があった。
【０００６】
従来、撮影サイズの変化による画角の変化に対応できるように、レンズ鏡筒において、焦点距離を表す表示部を指示する指標部を備え、画角の変化に対応して指標部が表示部を指示する位置を変更する手法が提案されている（特許文献１参照）。
【０００７】
【特許文献１】
特開平９−２４３８９４号公報
【０００８】
【発明が解決しようとする課題】
しかし、上述の特許文献１に記載の手法では、撮影者が画面サイズに応じて自ら指標部を変更する必要があり、操作が煩雑である上に、指標部の変更を忘れて使用すると、かえって混乱してしまったり、撮影ミスを起こしてしまったりするという問題があった。
【０００９】
また、焦点距離の表示は、レンズ鏡筒に設けられているので、焦点距離の確認をしたい場合には、撮影者がファインダから目を離してレンズ鏡筒まで視線を向けなくてはならず、シャッターチャンスを逃すおそれがあった。
【００１０】
さらに、撮影レンズに指標部を設けるためには、撮影レンズの製造時に予め使用される画面サイズを予定しておく必要があり、撮影レンズの製造後に、他の画面サイズのカメラが開発された場合、その都度改良したレンズ鏡筒を製造販売したり、以前のレンズ鏡筒の指標部が役に立たなくなったり、改良前のレンズ鏡筒を使用すると撮影者がさらに混乱したりするという問題があった。
【００１１】
本発明の課題は、撮影レンズを着脱可能なカメラにおいて、撮影画面サイズが異なっても、煩雑な操作を必要とせず、撮影に集中することができ、撮影者が焦点距離表示及び画角の変化により違和感を受けることなく、従来通りの感覚でスムーズに撮影することが可能なカメラを提供することである。
【００１２】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、撮影レンズ（８）により得られる像を所定の撮影画面内において撮像する撮影手段（３）と、前記撮影レンズの焦点距離に関する情報を取得する撮影レンズ情報取得部（２）と、前記撮影レンズ情報取得部が得た情報に基づいて演算処理を行い、前記焦点距離に対して換算を行う焦点距離換算部（２）と、前記焦点距離換算部が換算した換算焦点距離の表示及び／又は換算焦点距離に対応した表示を行う換算焦点距離表示部（５）と、を備えるカメラである。
【００１３】
請求項２の発明は、請求項１に記載のカメラにおいて、前記換算焦点距離は、前記撮影画面とは異なるフォーマットを有する仮想撮影画面において、前記撮影レンズと前記撮影画面との組み合わせにより形成される画角と同一の画角を有する仮想の撮影レンズの焦点距離であって、前記仮想撮影画面における対角線長と前記画角とにより決まる仮想の撮影レンズの焦点距離（ｆ’）であること、を特徴とするカメラである。
【００１４】
請求項３の発明は、請求項２に記載のカメラにおいて、前記仮想撮影画面は、対角線長が４３．２ｍｍの３５ｍｍフィルムカメラの撮影画面であること、を特徴とするカメラである。
【００１５】
請求項４の発明は、請求項３に記載のカメラにおいて、前記焦点距離換算部による焦点距離の換算は、前記撮影手段の対角線長と前記仮想撮影画面の対角線長とが異なる場合に行われること、を特徴とするカメラである。
【００１６】
請求項５の発明は、請求項１から請求項４までのいずれか１項に記載のカメラにおいて、前記撮影手段（３）は、撮影画面のアスペクト比が変更可能であって、前記焦点距離換算部（２）が行う演算処理は、前記撮影画面のアスペクト比の変更に応じて変化する前記撮影画面の対角線長に基づいて行われること、を特徴とするカメラである。
【００１７】
請求項６の発明は、請求項１から請求項５までのいずれか１項に記載のカメラにおいて、前記撮影レンズ（８）は、焦点距離を変更可能なレンズであって、前記換算焦点距離表示部（５）は、前記撮影レンズの焦点距離変化に連動して換算焦点距離を表示すること、を特徴とするカメラである。
【００１８】
請求項７の発明は、請求項１から請求項６までのいずれか１項に記載のカメラにおいて、前記換算焦点距離表示部（５）は、撮影時に撮影姿勢を変更することなく観察可能な位置に設けられていること、を特徴とするカメラである。
【００１９】
請求項８の発明は、請求項７に記載のカメラにおいて、前記換算焦点距離表示部が設けられている位置は、ファインダ表示内及び／又はその近傍であること、を特徴とするカメラである。
【００２０】
【発明の実施の形態】
以下、図面等を参照しながら、本発明の実施の形態について、更に詳しく説明する。
図１は、本発明によるカメラの実施形態の概要を説明する図である。
本実施形態におけるカメラ１は、ＣＰＵ２，撮像素子３，スクリーン４，表示部５，ペンタプリズム６，クイックリターンミラー７等を備え、撮影レンズ８を交換自在なカメラである。
ＣＰＵ２は、カメラ全体の動作を制御するマイコンであり、本実施形態では、特に、撮影レンズの焦点距離に関する情報を取得する撮影レンズ情報取得部と、撮影レンズ情報取得部が得た情報に基づいて演算処理を行い、焦点距離に対して換算を行う焦点距離換算部の機能を有している。これら撮影レンズ情報取得部及び焦点距離換算部としての機能については、後述する。
【００２１】
撮像素子３は、撮影レンズ８により得られる像を所定の撮影画面内において撮像する素子であり、本実施形態では、ＣＣＤを用いているが、Ｃ−ＭＯＳセンサ等であってもよい。
撮像素子３は、最大で３５ｍｍ判（画面サイズ２４×３６ｍｍ）の撮影を行うことができるが、これよりも小さな画面サイズの撮影も行うことができる。本実施形態では、１６．７×３０．２ｍｍのアドバンスト・フォト・システムと同じ画面サイズ（以下、便宜上ＡＰＳ判と呼ぶ）の撮影が可能であるものとする。
【００２２】
スクリーン４は、クイックリターンミラー７を介して撮像素子３の撮像面と光学的に等価な位置に配置された焦点板である。
表示部５は、スクリーン４に隣接して設けられており、ＣＰＵ２に制御されて各種表示を行う換算焦点距離表示部である。
ペンタプリズム６は、スクリーン４に結像した像を左右反転して正立像として観察可能とするプリズムである。なお、ペンタプリズム６を通過した像は、不図示の接眼レンズにより拡大されて、撮影者により観察される。
クイックリターンミラー７は、撮影レンズ８からの光を反射してファインダ方向へ導くミラーであり、撮影時には、跳ね上げられて撮影光路から退避し、撮影終了後に復帰する。
【００２３】
撮影レンズ８は、カメラ１に対して着脱自在な交換レンズであり、自らの焦点距離に関する情報を保持（記憶）している焦点距離情報保持部８ａを備えている。焦点距離情報保持部８ａには、単焦点レンズであれば、その焦点距離が保持され、ズームレンズであれば、焦点距離の可変範囲が保持されているとともに、現在のズーム位置における焦点距離も保持されている。焦点距離情報保持部８ａの保持している情報は、不図示の接点を介してＣＰＵ２に伝えられる。
【００２４】
次に、ＣＰＵ２における撮影レンズ情報取得部及び焦点距離換算部としての機能について説明する。
図２は、撮像素子３により撮影する画面サイズの違いを説明する図である。
先にも述べたように、撮像素子３は、３５ｍｍ判の撮影と、ＡＰＳ判の撮影を任意に切り替えて行うことができる。
３５ｍｍ判の撮影を行うときには、ａ（＝３６ｍｍ）×ｂ（＝２４ｍｍ）の画面サイズの画面サイズであり、ＡＰＳ判の撮影を行うときには、ｃ（＝３０．２ｍｍ）×ｄ（＝１６．７ｍｍ）の画面サイズで撮影を行う。また、３５ｍｍ判の対角線長Ｌは、Ｌ＝４３．２ｍｍであり、ＡＰＳ判の対角線長Ｌは、Ｌ’＝３４．５ｍｍである。なお、この対角線長の比を求めると、Ｌ’／Ｌ＝１．２５となる。
【００２５】
図３は、撮像素子３により撮影する画面サイズの違いによる画角の変化を説明する図である。なお、図３は、判りやすくするために、寸法を誇張して示している。
図２中の縦方向に示した寸法Ｌは、３５ｍｍ判の対角線長（＝４３．２ｍｍ）を示し、寸法Ｌ’は、ＡＰＳ判の対角線長（＝３４．５ｍｍ）を示している。また、図中の寸法ｆは、撮影レンズ８の焦点距離を示し、撮像素子３の撮像面から焦点距離ｆだけ離れた位置に主点Ｏが存在している。
３５ｍｍ判の撮影を行う場合の画角は、図３中の画角ωとなる。しかし、ＡＰＳ判の撮影を行う場合には、対角線長Ｌ’が３５ｍｍ判の対角線長よりも短くなるので、画角ω’となり、３５ｍｍ判よりも狭い範囲が撮影される。したがって、同じ撮影レンズ８を使用していても、ＡＰＳ判では、３５ｍｍ判と比較すると、より望遠側の撮影結果が得られることになる。
【００２６】
例えば、３５ｍｍ判用の標準レンズである焦点距離ｆ＝５０ｍｍの撮影レンズは、３５ｍｍ判の撮影を行う場合には、画角ω＝４７°であるが、同じ撮影レンズを用いてＡＰＳ判の撮影を行うと、画角ω’＝３８°となる。３５ｍｍ判用において画角ω’＝３８°となる仮想の撮影レンズを考えると、その仮想の撮影レンズの焦点距離ｆ’は、図３からも判るように、対角線長の比を乗算することにより求まる。すなわち、ｆ’＝ｆ×（Ｌ／Ｌ’）＝５０ｍｍ×１．２５＝６２．５ｍｍとなる。つまり、ＡＰＳ判の撮影時にｆ＝５０ｍｍの撮影レンズを装着したときに撮影される範囲は、３５ｍｍ判の撮影時にｆ’＝６２．５ｍｍの撮影レンズを装着した場合の撮影範囲と同じとなる。
【００２７】
先にも述べたように、一般に撮影者は、従来から広く用いられている３５ｍｍ判における焦点距離により、望遠であるか広角であるかをイメージ（観念）することが多い。したがって、上記例の場合、ＡＰＳ判の撮影時には、ファインダを観察したときに望遠側の像が得られており、違和感を覚えてしまう。
【００２８】
そこで、本実施形態では、ＡＰＳ判の撮影時の画角ω’と同じ画角を有する３５ｍｍ判における仮想の撮影レンズの焦点距離ｆ’を演算し、この焦点距離ｆ’をファインダ内に表示することとし、使用している撮影レンズがどの程度の望遠であるのか、又は、広角であるのか、ということを認識できるようにして、撮影者が違和感を覚えることなく自然に使用できるようにしている。
【００２９】
次に、本実施形態におけるファインダ内の表示について、具体的な例を示して説明する。
最初に、本実施形態におけるカメラにおいて、３５ｍｍ判の撮影を行うときのファインダ内の表示について説明する。
図４は、焦点距離「８０−２００ｍｍ」の焦点距離変更可能な撮影レンズ（以下「ズームレンズ」）を装着して、３５ｍｍ判の撮影を行うときのファインダ内の表示を説明する図である。
図４において、画枠３０は、３５ｍｍ判の撮影を行う場合の視野を示しており、その上方及び下方に、表示領域１０，２０が形成されている。
【００３０】
表示領域１０は、ＣＰＵ２により取得した撮影レンズ８の焦点距離に関する情報を表示する領域である。この表示領域１０により撮影者は、現在装着している撮影レンズ８の焦点距離を一瞬にして確認することが可能となる。図４に示した例では、３５ｍｍ判の撮影を行う場合であるので、撮影レンズ８の焦点距離「８０−２００ｍｍ」をそのまま表示（１１）している。
【００３１】
表示領域２０は、カメラ本体に関する情報を示す領域であり、シャッター速度２１、絞り値２２、撮影モード２３（図中では、プログラムモードの表示例）、撮影枚数２４をそれぞれ表している。
【００３２】
図５は、焦点距離「８０−２００ｍｍ」のズームレンズを装着して、３５ｍｍ判の撮影を行うときのファインダ内の表示を説明する図であり、ズーム位置の表示も行う例である。
図５に示す例では、ズームレンズの焦点距離範囲内での８５ｍｍ位置を表示（１２）示しており、ＣＰＵ２によって、焦点距離の変更と同時に表示を更新する。
【００３３】
図６は、焦点距離「８０−２００ｍｍ」のズームレンズを装着して、ＡＰＳ判により撮影を行う場合のファインダ内表示を説明する図である。
図６に示す例では、カメラに装着された撮影レンズ８は、図１，２同様「８０−２００ｍｍ」のズームレンズであるが、撮影画面がＡＰＳ判であり狭いことから、撮影者が見る（ファインダ内に表示される）画枠３１は、画枠３０よりも狭くなる。
【００３４】
この場合、仮想の撮影レンズの焦点距離ｆ’は、上述したように、焦点距離ｆに対角線長の比を乗算することにより得られる。したがって、焦点距離ｆが「８０−２００ｍｍ」レンズを装着しても、ＡＰＳ判では、１．２５を乗算して、焦点距離ｆ’は、「１００−２５０ｍｍ」の撮影レンズを装着した場合とほぼ一致する。したがって、ファインダ内には、焦点距離ｆを表示する表示１１に加えて、焦点距離ｆから換算した焦点距離ｆ’を表示する表示（１３）を行う。この焦点距離ｆの換算及び表示の制御は、ＣＰＵ２により行われ、表示部５に表示される。
【００３５】
図７は、換算後のズーム範囲の焦点距離のみを表示（１４）した例を示す図である。
図８は、換算後のズーム範囲の焦点距離の表示（１５）と使用中のズーム位置における換算後の焦点距離の表示（１６）とを行う例を示す図である。
図８の例では、ズーム位置がｆ＝１００ｍｍにある例であり、このときの換算後の焦点距離ｆ’＝１２５ｍｍが表示（１６）されている。
図９は、単焦点レンズ（焦点距離固定レンズ）を装着した場合の表示例を示す図である。
図９に示す例では、焦点距離ｆ＝５０ｍｍの単焦点レンズを装着している状態を示しており、換算後の焦点距離ｆ’＝６３ｍｍを併せて表示している（１７，１８）。
【００３６】
本実施形態によれば、撮影する画面サイズの違いに応じて撮影レンズの焦点距離を換算して表示するので、撮影者は、焦点距離、画角での違和感を受けることなく、従来通りの感覚でスムーズに撮影することが可能となる。
また、即座に焦点距離を表示するので、シャッターチャンスに応じた画角を素早く確実に捕らえることができる。
【００３７】
（変形形態）
以上説明した実施形態に限定されることなく、種々の変形や変更が可能であって、それらも本発明の均等の範囲内である。
（１）本実施形態において、焦点距離に関する各種情報の表示は、ファインダ内に表示する例を示したが、これに限らず、例えば、従来からカメラ外部に設けられている外部ＬＣＤ内に表示したり、カメラ外部に新たな表示部を個別に設けて表示したりしてもよい。
【００３８】
（２）本実施形態において、カメラは、３５ｍｍ判とＡＰＳ判とを切り替えて撮影可能な例を示したが、これに限らず、例えば、撮影する画面サイズが自由に変更可能なカメラであってもよい。この場合にも、その画面サイズの変化に連動して焦点距離を換算し、表示を行えばよい。
【００３９】
（３）本実施形態において、カメラは、１つのカメラにおいて複数の画面サイズの撮影を行える例を示したが、これに限らず、例えば、  図１０に示すように、撮影可能な画面サイズが異なるカメラ（１０１，２０１等）に同じ撮影レンズ８を用いる場合に、本発明を適用してもよい。この場合には、カメラ毎に撮影する画面サイズが決まっているので、例えば、カメラ１０１が３５ｍｍ判であるとすると、カメラ１０１に撮影レンズ８を装着した場合には、焦点距離の換算を行わず、３５ｍｍ判よりも小さい画面サイズを有するカメラ２０１に撮影レンズ８を装着したときに、焦点距離を換算して表示すればよい。
【００４０】
（４）本実施形態において、焦点距離を換算した仮想の焦点距離を表示する例を示したが、この換算後の仮想の焦点距離の表示に加えて、換算後の値であることを明示する表示を追加したり、換算後の表示の場合には、表示の色を変えるなど、換算後の表示であることを、より判りやすくしてもよい。
【００４１】
【発明の効果】
以上詳しく説明したように、本発明によれば、以下の効果を奏することができる。
（１）撮影レンズ情報取得部と、焦点距離換算部と、換算焦点距離表示部とを備えるので、異なる撮影画面サイズにより撮影する場合であっても、撮影者が混乱することなく従来通りの感覚でスムーズに撮影することができる。
【００４２】
（２）換算焦点距離は、撮影画面とは異なるフォーマットを有する仮想撮影画面における対角線長と画角とにより決まる仮想の撮影レンズの焦点距離であるので、任意の画面サイズにおける撮影レンズの焦点距離に相当する値とすることができ、撮影者の使いやすい形態とすることができる。
【００４３】
（３）仮想撮影画面は、対角線長が４３．２ｍｍの３５ｍｍフィルムカメラの撮影画面であるので、広く普及している画面サイズを仮想撮影画面とし、多くの撮影者が使いやすいカメラとすることができる。
【００４４】
（４）焦点距離換算部による焦点距離の換算は、撮影手段の対角線長と仮想撮影画面の対角線長とが異なる場合に行われるので、必要なときにのみ換算を行うことができる。
【００４５】
（５）撮影手段は、焦点距離換算部が行う演算処理は、撮影画面のアスペクト比の変更に応じて変化する撮影画面の対角線長に基づいて行われるので、正確に換算を行うことができる。
【００４６】
（６）換算焦点距離表示部は、撮影レンズの焦点距離変化に連動して換算焦点距離を表示するので、使用中の焦点距離を把握しやすく、撮影を円滑に行うことができる。
【００４７】
（７）換算焦点距離表示部は、撮影時に撮影姿勢を変更することなく観察可能な位置に設けられているので、操作性を損なうことなく、換算焦点距離の確認を行うことができる。
【００４８】
（８）換算焦点距離表示部が設けられている位置は、ファインダ表示内及び／又はその近傍であるので、シャッターチャンスを逃すことなく、換算焦点距離の確認を行うことができる。
【図面の簡単な説明】
【図１】本発明によるカメラの実施形態の概要を説明する図である。
【図２】撮像素子３により撮影する画面サイズの違いを説明する図である。
【図３】撮像素子３により撮影する画面サイズの違いによる画角の変化を説明する図である。
【図４】焦点距離「８０−２００ｍｍ」の焦点距離変更可能な撮影レンズを装着して、３５ｍｍ判の撮影を行うときのファインダ内の表示を説明する図である。
【図５】焦点距離「８０−２００ｍｍ」のズームレンズを装着して、３５ｍｍ判の撮影を行うときのファインダ内の表示を説明する図であり、ズーム位置の表示も行う例である。
【図６】焦点距離「８０−２００ｍｍ」のズームレンズを装着して、ＡＰＳ判により撮影を行う場合のファインダ内表示を説明する図である。
【図７】換算後のズーム範囲の焦点距離のみを表示した例を示す図である。
【図８】換算後のズーム範囲の焦点距離の表示と使用中のズーム位置における換算後の焦点距離の表示とを行う例を示す図である。
【図９】単焦点レンズを装着した場合の表示例を示す図である。
【図１０】変形形態を説明する図である。
【符号の説明】
１  カメラ
２  ＣＰＵ
３  撮像素子
４  スクリーン
５  表示部
６  ペンタプリズム
７  クイックリターンミラー
８  撮影レンズ
８ａ  焦点距離情報保持部
【図１】
2004157367.tif 000003
【図２】
2004157367.tif 000004
【図３】
2004157367.tif 000005
【図４】
2004157367.tif 000006
【図５】
2004157367.tif 000007
【図６】
2004157367.tif 000008
【図７】
2004157367.tif 000009
【図８】
2004157367.tif 000010
【図９】
2004157367.tif 000011
【図１０】
2004157367.tif 000012